(57)【要約】【課題】ユーザが希望する位置情報に応じた情報を任意の場所で提供でき、かつ、トラヒックを抑えることが可能な情報提供システムを提供する。【解決手段】移動可能な電波受信装置３１が、複数のユーザＩＤを取得する。又、ＧＰＳ装置３３が、電波受信装置３１の位置を検出する。そして、制御部３２と通信部３４が、電波受信装置３１が取得した複数のユーザＩＤと、電波受信装置３１の位置情報とを対応付けて、情報配信サーバ７０に通知する。通知を受けた情報配信サーバ７０の取得部７２は、提供情報データベース８２からユーザＩＤと位置情報に基づいて提供情報を取得する。そして、通信部７１が、取得部７２が取得した提供情報を端末装置１０ａ，１０ｂに送信する。【選択図】      図１
2004192354.tif 000002
【特許請求の範囲】
【請求項１】
複数のユーザデータを取得する移動可能なユーザデータ取得手段と、
該ユーザデータ取得手段の位置を検出する位置検出手段と、
前記ユーザデータ取得手段が取得した複数のユーザデータと前記位置検出手段が検出した位置情報とを対応付けて通知する通知手段と、
端末装置に提供する提供情報を位置情報に対応付けて記憶する提供情報記憶手段と、
前記通知手段が通知した複数のユーザデータと位置情報に基づいて、前記提供情報記憶手段から提供情報を取得する取得手段と、
該取得手段が取得した提供情報を、前記端末装置に送信する情報送信手段と
を備えることを特徴とする情報提供システム。
【請求項２】
前記ユーザデータ取得手段は、前記ユーザデータを含む電波を受信することにより、前記ユーザデータを取得することを特徴とする請求項１に記載の情報提供システム。
【請求項３】
前記ユーザデータ取得手段、前記位置検出手段及び前記通知手段は、移動手段に設置されることを特徴とする請求項１又は２に記載の情報提供システム。
【請求項４】
前記ユーザデータと、前記端末装置に送信する提供情報の種類とを対応付けて記憶するユーザ情報記憶手段を備え、
前記取得手段は、前記通知手段が通知したユーザデータに基づいて、前記ユーザ情報記憶手段に記憶された提供情報の種類を取得し、前記提供情報記憶手段から提供情報を取得することを特徴とする請求項１乃至３のいずれか１項に記載の情報提供システム。
【請求項５】
前記取得手段は、既に前記端末装置に送信した提供情報以外の提供情報を取得することを特徴とする請求項１乃至４のいずれか１項に記載の情報提供システム。
【請求項６】
前記提供情報記憶手段は、位置に関する範囲に対応付けて前記提供情報を記憶し、
前記取得手段は、前記範囲に基づいて、前記提供情報を取得することを特徴とする請求項１乃至５のいずれか１項に記載の情報提供システム。
【請求項７】
前記通知手段が通知した複数のユーザデータと位置情報とを対応付けて記憶する位置情報記憶手段と、
該位置情報記憶手段に、前記複数のユーザデータと位置情報とを対応付けて格納する登録手段とを備え、
前記取得手段は、前記位置情報記憶手段から、前記ユーザデータと位置情報を取得し、該取得したユーザデータと位置情報に基づいて、前記提供情報記憶手段から前記提供情報を取得することを特徴とする請求項１乃至６のいずれか１項に記載の情報提供システム。
【請求項８】
複数のユーザデータを取得する移動可能なユーザデータ取得手段と、
該ユーザデータ取得手段の位置を検出する位置検出手段と、
前記ユーザデータ取得手段が取得した複数のユーザデータと前記位置検出手段が検出した位置情報とを対応付けて通知する通知手段と
を備えることを特徴とする基地局。
【請求項９】
端末装置に提供する提供情報を位置情報に対応付けて記憶する提供情報記憶手段と、
基地局から通知される複数のユーザデータと前記基地局の位置情報に基づいて、前記提供情報記憶手段から提供情報を取得する取得手段と、
該取得手段が取得した提供情報を、前記端末装置に送信する情報送信手段と
を備えることを特徴とするサーバ。
【請求項１０】
複数のユーザデータを取得するステップと、
移動可能な基地局の位置を検出するステップと、
前記取得した複数のユーザデータと前記検出した基地局の位置情報とを対応付けて通知するステップと、
該通知された複数のユーザデータと基地局の位置情報に基づいて、端末装置に提供する提供情報を位置情報に対応付けて記憶する提供情報記憶手段から、前記提供情報を取得するステップと、
該取得した提供情報を、前記端末装置に送信するステップと
を有することを特徴とする情報提供方法。
【発明の詳細な説明】
【０００１】
【発明の属する技術分野】
本発明は、情報提供システム、基地局、サーバ及び情報提供方法に関する。
【０００２】
【従来の技術】
従来、バスの乗客に、バスの位置に応じた情報を提供するサービスが行われている。例えば、バスがＧＰＳを備え、ＧＰＳがバスの位置を取得する。そして、コンピュータが、ＧＰＳが取得した位置に応じた情報を、バスの外部に設置されたデータベースサーバから取得し、乗客が持つ端末装置に配信する技術がある（例えば、特許文献１参照）。
【０００３】
又、ユーザが希望する情報を配信する情報配信システムがある。具体的には、情報配信装置が、予めユーザが希望する情報を把握しておく。又、複数の無線局を設置しておく。そして、設置された無線局が、その無線局と通信を行ったユーザ端末のメールアドレスと、無線局を識別する無線局ＩＤを情報配信装置に送信する。そして、情報配信装置が、メールアドレスと無線局ＩＤに基づいて、ユーザが希望する情報をユーザ端末に配信する（例えば、特許文献２参照）。
【０００４】
【特許文献１】
特開２００２−１４８０７１号公報
【０００５】
【特許文献２】
特開２００２−２２２１３３号公報
【０００６】
【発明が解決しようとする課題】
しかしながら、従来のバスの位置に応じた情報を提供するサービスでは、端末装置のユーザがどのような情報を希望しているかを全く考慮していなかった。そのため、端末装置には、ユーザが希望しない情報まで配信されてしまっていた。
【０００７】
一方、ユーザが希望する情報を配信する情報配信システムでは、ユーザ端末には、ユーザが希望する情報が配信される。しかし、無線局が、各ユーザ端末と通信を行う度に、ユーザのメールアドレスと無線局ＩＤを情報配信装置に送信していた。そのため、無線局と情報配信装置との間のトラフィックが高くなる問題点があった。又、無線局と情報配信装置は、無線局が各ユーザ端末と通信を行う度に処理を行う必要があり、処理が煩雑であった。更に、無線局を固定的に設置しているため、設置にコストがかかる。又、ユーザが希望する情報を配信できるものの、固定された無線局と通信が可能な範囲に、情報提供場所が固定されてしまう問題があった。
【０００８】
そこで、本発明は、ユーザが希望する位置情報に応じた情報を任意の場所で提供でき、かつ、トラヒックを抑えることが可能な情報提供システム、基地局、サーバ及び情報提供方法を提供することを目的とする。
【０００９】
【課題を解決するための手段】
本発明に係る情報提供システムは、複数のユーザデータを取得する移動可能なユーザデータ取得手段と、そのユーザデータ取得手段の位置を検出する位置検出手段と、ユーザデータ取得手段が取得した複数のユーザデータと位置検出手段が検出した位置情報とを対応付けて通知する通知手段と、端末装置に提供する提供情報を位置情報に対応付けて記憶する提供情報記憶手段と、通知手段が通知した複数のユーザデータと位置情報に基づいて、提供情報記憶手段から提供情報を取得する取得手段と、取得手段が取得した提供情報を、端末装置に送信する情報送信手段とを備えることを特徴とする。
【００１０】
このような情報提供システムによれば、移動可能なユーザデータ取得手段が、複数のユーザデータを取得する。又、位置検出手段が、ユーザデータ取得手段の位置を検出する。そして、通知手段が、ユーザデータ取得手段が取得した複数のユーザデータと、そのユーザデータ取得手段の位置情報とを対応付けて通知する。通知を受けた取得手段は、提供情報記憶手段からユーザデータと位置情報に基づいて提供情報を取得する。そして、情報送信手段が、取得手段が取得した提供情報を端末装置に送信する。
【００１１】
このように、ユーザデータ取得手段は移動可能であり、位置検出手段が移動するユーザデータ取得手段の位置を検出できる。そして、取得手段が、端末装置のユーザが希望する位置情報に応じた提供情報を取得する。そのため、情報提供システムは、ユーザが希望する位置情報に応じた情報を任意の場所で提供できる。
更に、通知手段が、複数のユーザデータと、そのユーザデータを取得したユーザデータ取得手段の位置情報とを対応付けて一括して通知できる。そのため、通知手段は、各ユーザについて、個々にユーザデータと位置情報を通知する必要がなく、トラヒックを抑えることができる。
【００１２】
尚、ユーザデータ取得手段は、例えば、ユーザデータを含む電波を受信することにより、ユーザデータを取得することができる。又、ユーザデータ取得手段、位置検出手段及び通知手段は、電車、バスや緊急車両等の自動車、航空機等の移動手段に設置されることが好ましい。これによれば、情報提供システムが情報を提供する範囲を、移動手段の移動に伴って逐次変更することができる。
【００１３】
更に、情報提供システムは、ユーザデータと、端末装置に送信する提供情報の種類とを対応付けて記憶するユーザ情報記憶手段を備え、取得手段は、通知手段が通知したユーザデータに基づいて、ユーザ情報記憶手段に記憶された提供情報の種類を取得し、提供情報記憶手段から提供情報を取得することが好ましい。これによれば、情報提供システムは、予め端末装置のユーザが希望する提供情報の種類を把握しておくことができる。そして、取得手段は、通知されたユーザデータに基づいて、ユーザ情報記憶手段に記憶されたユーザデータに対応付けられている提供情報の種類を把握し、提供情報を取得することができる。よって、情報提供システムは、ユーザが希望する提供情報を容易に提供できる。
【００１４】
又、取得手段は、既に端末装置に送信した提供情報以外の提供情報を取得することが好ましい。これによれば、情報提供システムは、端末装置のユーザにより有効な提供情報を提供できる。
【００１５】
又、提供情報記憶手段は、位置に関する範囲に対応付けて提供情報を記憶し、取得手段は、範囲に基づいて、提供情報を取得することが好ましい。これによれば、情報提供システムは、範囲の単位で提供情報の提供を管理できる。
【００１６】
更に、情報提供システムは、通知手段が通知した複数のユーザデータと位置情報とを対応付けて記憶する位置情報記憶手段と、その位置情報記憶手段に、複数のユーザデータと位置情報とを対応付けて格納する登録手段とを備え、取得手段は、位置情報記憶手段から、ユーザデータと位置情報を取得し、取得したユーザデータと位置情報に基づいて、提供情報記憶手段から提供情報を取得することが好ましい。これによれば、情報提供システムは、通知手段から通知されたユーザデータと位置情報を保持しておき、端末装置に提供情報を提供することができる。
【００１７】
又、本発明に係る基地局は、複数のユーザデータを取得する移動可能なユーザデータ取得手段と、ユーザデータ取得手段の位置を検出する位置検出手段と、ユーザデータ取得手段が取得した複数のユーザデータと位置検出手段が検出した位置情報とを対応付けて通知する通知手段とを備えることを特徴とする。
【００１８】
又、本発明に係るサーバは、端末装置に提供する提供情報を位置情報に対応付けて記憶する提供情報記憶手段と、基地局から通知される複数のユーザデータと基地局の位置情報に基づいて、提供情報記憶手段から提供情報を取得する取得手段と、取得手段が取得した提供情報を、端末装置に送信する情報送信手段とを備えることを特徴とする。
【００１９】
又、本発明に係る情報提供方法は、複数のユーザデータを取得するステップと、移動可能な基地局の位置を検出するステップと、取得した複数のユーザデータと検出した基地局の位置情報とを対応付けて通知するステップと、通知された複数のユーザデータと基地局の位置情報に基づいて、端末装置に提供する提供情報を位置情報に対応付けて記憶する提供情報記憶手段から、提供情報を取得するステップと、取得した提供情報を、端末装置に送信するステップとを有することを特徴とする。
【００２０】
【発明の実施の形態】
以下、図面を参照して本発明の実施の形態について説明する。
【００２１】
（情報提供システム）
図１に示すように、情報提供システム１は、端末装置１０ａ，１０ｂと、電波送信装置２０ａ，２０ｂと、可搬型基地局３０と、設置型基地局４０と、ネットワーク５０と、位置管理サーバ６０と、情報配信サーバ７０と、情報登録サーバ８０とを備える。可搬型基地局３０は、バス２に設置されている。
【００２２】
情報登録サーバ８０は、情報配信サーバ７０が携帯端末１０ａ，１０ｂに提供する提供情報を記憶する。情報登録サーバ８０は、インタフェース８１と、提供情報データベース８２と、登録部８３とを備える。インタフェース８１は、情報配信サーバ７０とのインタフェースである。
【００２３】
提供情報データベース８２は、端末装置１０ａ，１０ｂに提供する提供情報を、位置情報に対応付けて記憶する提供情報記憶手段である。提供情報は、いくつかの種類に分類される。具体的には、提供情報には、遊園地の施設に関する情報や、遊園地で行われるイベントに関する情報、各施設での待ち時間等、遊園地や公園等の行楽施設に関する行楽施設情報がある。又、提供情報には、レストランやスーパーマーケット等の店舗が行っているサービス内容や、サービス開始時刻、その他、店舗に関する店舗情報がある。又、提供情報には、イベント来場者等に提供するイベント開始時刻や、イベント施設の案内情報等のイベント情報がある。又、提供情報には、周辺住民等に提供する災害発生や避難勧告の通知、避難場所等に関する災害情報がある。又、提供情報には、周辺住民等に提供する行方不明者の特徴等の行方不明者情報、子供や老人の位置に関する位置情報、地域に関する地域情報等がある。そのため、提供情報は、例えば、行楽施設情報、店舗情報、イベント情報、災害情報、行方不明者情報、地域情報等の種類に分類される。提供情報の各種類には、情報の種類を識別する情報種類記号が付与されている。
【００２４】
各種類に分類された提供情報は、更に細分化されている。例えば、提供情報は、時間帯、提供情報の重要度、情報提供の優先順位等に基づいて細分化してもよく、一定の情報量毎に区切って細分化してもよく、任意に細分化してもよい。細分化された各提供情報には、細分化された各提供情報を示す情報ＩＤが付与されている。
【００２５】
提供情報データベース８２は、位置に関する範囲に対応付けて提供情報を記憶する。位置に関する範囲は、例えば、緯度と経度を用いて定めることができる。
情報を提供するエリアは、複数の範囲に分割される。各範囲には、範囲を識別する範囲識別データが付与されている。
【００２６】
提供情報データベース８２は、位置情報と、情報種類と、情報ＩＤと、情報のフィールドを備える。位置情報のフィールドには、位置情報として、範囲識別データが格納される。情報種類のフィールドには、情報種類記号が格納される。範囲識別データαに対応する情報種類のフィールドには、範囲識別データαで表される範囲に対応付けて記憶する提供情報の情報種類記号が格納される。
【００２７】
情報ＩＤのフィールドには、情報ＩＤが格納される。図１では、情報種類記号「Ａ」の種類に分類された提供情報を細分化した情報には、情報ＩＤとして「Ａ―１、Ａ―２、Ａ―３」が付与されており、情報種類記号「Ｂ」の種類に分類された提供情報を細分化した情報には、情報ＩＤとして「Ｂ―１、Ｂ―２、Ｂ―３」が付与されている。
【００２８】
情報フィールドには、提供情報が格納される。提供情報は、位置情報に対応付けて格納される。提供情報データベース８２では、提供情報は、位置に関する範囲を識別する範囲識別データに対応付けて格納される。又、提供情報は、細分化されており、各情報ＩＤに対応付けて格納される。
【００２９】
登録部８３は、提供情報を、提供情報データベース８２に格納する。登録部８３は、入力装置や通信装置を用いることができる。登録部８３が入力装置の場合には、提供情報を提供情報データベース８２に入力することにより、提供情報を提供情報データベース８２に格納する。又、登録部８３が通信装置の場合には、提供情報を受信し、受信した提供情報を提供情報データベース８２に格納する。
提供情報は、例えば、地方自治体、商店街、イベント開催者等の提供情報の登録を希望する者からの要求に応じて登録される。
【００３０】
位置管理サーバ６０は、ユーザの位置情報を保持する。位置管理サーバ６０は、制御部６１と、インタフェース６２と、範囲情報記憶部６３と、時計部６４と、位置情報データベース６５とを備える。
【００３１】
位置情報データベース６５は、可搬型基地局３０が通知した複数のユーザＩＤと可搬型基地局３０の位置情報とを対応付けて記憶する位置情報記憶手段である。位置情報データベース６５は、ユーザＩＤと、位置情報と、登録時間と、送信済み情報ＩＤのフィールドを備える。
【００３２】
ユーザＩＤのフィールドには、可搬型基地局３０から通知されたユーザＩＤが格納される。位置情報のフィールドには、可搬型基地局３０から通知された可搬型基地局３０の位置情報が、ユーザＩＤと対応付けられて格納される。位置情報のフィールドには、位置情報として、範囲識別データが格納される。登録時間のフィールドには、ユーザＩＤ及び位置情報を位置情報データベース６５に格納した時間が、登録時間として記録される。送信済み情報ＩＤのフィールドには、そのユーザに既に提供した提供情報の情報ＩＤが格納される。このようにして、位置管理サーバ６０は、可搬型基地局３０から通知されたユーザデータと位置情報を保持しておくことができる。
【００３３】
インタフェース６２は、情報配信サーバ７０とのインタフェースである。制御部６１は、複数のユーザＩＤと位置情報とを対応付けて格納する登録手段である。制御部６１は、インタフェース６２を介して、情報配信サーバ７０から送信された可搬型基地局３０が通知した複数のユーザＩＤと可搬型基地局３０の位置情報を受信する。このとき、制御部６１が受信する位置情報は、緯度や経度で表されている。そのため、まず、制御部６１は、受信した緯度や経度で表される位置が属する範囲を判断する。範囲情報記憶部６３は、緯度と経度を用いて定められた範囲と、その範囲の範囲識別データとを対応付けて記憶する。制御部６１は、受信した緯度や経度に基づいて、範囲情報記憶部６３を参照する。そして、制御部６１は、その緯度や経度で表される位置が属する範囲の範囲識別データを取得する。
【００３４】
次に、制御部６１は、時計部６４から現在時刻を、登録時間として取得する。
時計部６４は、現在時刻を提供する。そして、制御部６１は、受信したユーザＩＤに、範囲情報記憶部６３から取得した範囲識別データと、時計部６４から取得した登録時間とを対応付けて、位置情報データベース６５に格納する。
【００３５】
又、制御部６１は、インタフェース６２を介して、情報配信サーバ７０から送信された情報配信サーバ７０が端末装置１０ａ，１０ｂに送信した送信済みの提供情報の情報ＩＤを、ユーザＩＤに対応付けられて受信する。制御部６１は、受信した情報ＩＤを、位置情報データベース６５のそのユーザＩＤに対応する送信済み情報ＩＤのフィールドに格納する。
【００３６】
制御部６１は、情報配信サーバ７０から新たに、ユーザＩＤと位置情報や、送信済みの提供情報の情報ＩＤを受信した場合には、位置情報データベース６５を更新する。これにより、位置情報データベース６５には、常に最新の情報が記憶される。又、制御部６１は、位置情報データベース６５から、情報を削除する。
例えば、制御部６１は、登録時間から所定時間経過後に情報を削除したり、登録時間から所定時間の間に、新たに位置情報等を受信しなかったときに、情報を削除したりする。又、制御部６１は、インタフェース６２を介して、情報配信サーバ７０から、端末装置１０ａ，１０ｂからの位置情報の削除の要求を受信した場合に、情報を削除するようにしてもよい。
【００３７】
又、制御部６１は、インタフェース６２を介して、情報配信サーバ７０から、位置情報データベース６５が記憶する情報の提供の要求を受信する。制御部６１は、情報配信サーバ７０からの要求に応じて、位置情報データベース６５から、位置情報や登録時間、送信済み情報ＩＤを取得する。制御部６１は、取得した情報を、インタフェース６２を介して情報配信サーバ７０に送信する。
【００３８】
情報配信サーバ７０は、提供情報を端末装置１０ａ，１０ｂに提供する。情報配信サーバ７０は、通信部７１と、取得部７２と、ユーザ情報データベース７３と、登録部７４と、インタフェース７５，７６と、経路情報記憶部７７とを備える。インタフェース７５は、位置管理サーバ６０とのインタフェースである。インタフェース７６は、情報登録サーバ８０とのインタフェースである。
【００３９】
通信部７１は、可搬型基地局３０や設置型基地局４０と通信を行う。通信部７１は、ネットワーク５０を介して、可搬型基地局３０から、対応付けられた複数のユーザＩＤと可搬型基地局３０の位置情報とを受信する。又、通信部７１は、ネットワーク５０を介して、可搬型基地局３０から、端末装置１０ａ，１０ｂからの位置情報の削除の要求を受信する。通信部７１は、通信部７１は、受信した複数のユーザＩＤと可搬型基地局３０の位置情報や、位置情報の削除の要求を、インタフェース７５を介して、位置管理サーバ６０に送信する。ネットワーク５０は、インターネット等である。
【００４０】
又、通信部７１は、端末装置１０ａ，１０ｂから送信されたユーザに関するユーザ情報を、可搬型基地局３０や設置型基地局４０を介して受信する。通信部７１は、受信したユーザ情報を、登録部７４に入力する。又、通信部７１は、取得部７２や登録部７４から、情報を入力される。通信部７１は、入力された情報を、可搬型基地局３０や設置型基地局４０に送信する。
【００４１】
ユーザ情報データベース７３は、ユーザ情報を記憶するユーザ情報記憶手段である。ユーザ情報データベース７３は、ユーザ情報として、ユーザＩＤと、メールアドレスと、端末装置１０ａ，１０ｂに送信する提供情報の種類とを対応付けて記憶する。ユーザ情報データベース７３は、ユーザＩＤと、メールアドレスと、情報種類のフィールドを備える。
【００４２】
ユーザＩＤのフィールドには、ユーザＩＤが格納される。ユーザＩＤは、ユーザを識別可能なユーザデータである。メールアドレスのフィールドには、ユーザＩＤと対応付けられて、メールアドレスが格納される。メールアドレスのフィールドには、ユーザが提供情報を受信したい宛先のアドレスが格納される。情報種類のフィールドには、ユーザＩＤと対応付けられて、情報種類記号が格納される。情報種類のフィールドには、ユーザが提供を希望する提供情報を示す情報種類記号が格納される。このようにして、情報配信サーバ７０は、予め端末装置１０ａ，１０ｂのユーザが希望する提供情報の種類を把握しておくことができる。
【００４３】
登録部７４は、ユーザ情報データベース７３に、ユーザ情報を格納する。提供情報の提供を望むユーザは、例えば、端末装置１０ａ，１０ｂを用いて、予め、ユーザＩＤ、メールアドレス、希望する提供情報の種類を、情報配信サーバ７０に登録する。登録部７４は、通信部７１を介して端末装置１０ａ，１０ｂに、ユーザＩＤやメールアドレスの入力、提供情報の選択を行う登録画面を送信する。
尚、このとき、登録部７４は、災害情報等をユーザに必ず選択させるデフォルト情報として通知してもよい。これによれば、災害情報をユーザに周知することができる。端末装置１０ａ，１０ｂは、登録画面に従い、ユーザＩＤ、メールアドレス、希望する提供情報の種類等のユーザ情報を、情報配信サーバ７０に送信する。登録部７４は、通信部７１から、端末装置１０ａ，１０ｂから送信されたユーザ情報を取得する。そして、登録部７４は、入力されたユーザ情報を、ユーザ情報データベース７３に格納する。
【００４４】
取得部７２は、可搬型基地局３０から通知される複数のユーザＩＤと可搬型基地局３０の位置情報に基づいて、提供情報データベース８２から提供情報を取得する取得手段である。取得部７２は、インタフェース７５を介して、位置情報データベース６５が記憶する情報の提供を要求する。そして、取得部７５は、インタフェース７５を介して位置情報データベース６５から、ユーザＩＤや位置情報、登録時間や送信済み情報ＩＤを取得する。取得部７２は、位置情報として、範囲識別データを取得する。
【００４５】
取得部７２は、位置情報データベース６５から取得したユーザＩＤに基づいて、そのユーザＩＤに対応付けられてユーザ情報データベース７３に記憶されている提供情報の種類を取得する。取得部７２は、提供情報の種類として、情報種類記号を取得する。取得部７２は、位置情報データベース６５から取得した範囲識別データと、ユーザ情報データベース７３から取得した情報種類記号に基づいて、インタフェース７６を介して、提供情報データベース８２から、提供情報を取得する。取得部７２は、取得した範囲識別データに対応付けられている提供情報の中から、取得した情報種類記号に対応付けられている提供情報を取得する。このようにして、情報配信サーバ７０は、ユーザが希望する提供情報を容易に取得して、提供できる。
【００４６】
このとき、取得部７２は、そのユーザへの最初の情報提供の場合には、情報種類記号に対応付けられている提供情報の中から、任意の情報ＩＤの提供情報を取得してもよく、提供情報データベース８２に格納されている順番が最初の情報ＩＤの提供情報を取得してもよい。一方、取得部７２は、位置情報データベース６５から、送信済み情報ＩＤを取得している場合には、送信済み情報ＩＤ以外の情報ＩＤの提供情報を取得する。例えば、取得部７２は、位置情報データベース６５から、ユーザＩＤ「ａ」に対応付けられた送信済み情報ＩＤ「Ａ−１」を取得した場合には、提供情報データベース８２の範囲識別データ「α」に対応付けられている情報種類記号「Ａ」の提供情報の中から、情報ＩＤ「Ａ−２」や「Ａ―３」の提供情報を取得する。これによれば、情報配信サーバ７０は、端末装置１０ａ，１０ｂのユーザにより有効な提供情報を提供できる。
【００４７】
又、取得部７２は、位置情報データベース６５から、登録時間を取得している場合には、登録時間に応じて提供情報を取得するようにしてもよい。取得部７２は、予め、登録時間からの経過時間を用いて複数の時間帯を定めておき、各時間帯に提供する提供情報の情報ＩＤを定めておく。そして、取得部７２は、登録時間からの経過時間に応じて、提供情報を取得する。例えば、取得部７２は、範囲識別データ「α」の範囲に存在するユーザに対して、登録時間から３０分以内は、情報ＩＤ「Ａ−１」の提供情報を、登録時間から３０分経過後〜１時間以内は、情報ＩＤ「Ａ―２」の提供情報を提供することができる。
【００４８】
又、取得部７２は、可搬型基地局３０が移動する経路に基づいて、提供情報を取得するようにしてもよい。経路情報記憶部７７は、可搬型基地局３０が設置されているバス２の経路情報を記憶する。経路情報記憶部７７は、範囲識別データを用いて経路を記憶する。例えば、バス２の経路は、範囲識別データ「α」、「β」の順番であるというように記憶できる。取得部７２は、位置情報データベース６５から取得した範囲識別データに基づいて、経路情報記憶部７７からバス２が移動する経路情報を取得する。例えば、取得部７２は、位置情報データベース６５から取得した範囲識別データが「α」の場合には、経路情報記憶部７７から次に進む位置を示す範囲識別データ「β」を取得する。そして、取得部７２は、範囲識別データ「β」に基づいて、提供情報データベース８２から、提供情報を取得する。
【００４９】
取得部７２は、提供情報データベース８２から取得した提供情報に、ユーザ情報データベース７３から取得したメールアドレスを付加する。取得部７２は、メールアドレスを付加した提供情報を、通信部７１に入力する。そして、通信部７１が、取得部７２から入力された提供情報を、端末装置１０ａ，１０ｂのメールアドレスに送信する。このようにして、通信部７１は、取得部７２が取得した提供情報を、端末装置１０ａ，１０ｂに送信する情報送信手段として機能する。通信部７１が、端末装置１０ａ，１０ｂに送信した提供情報は、可搬型基地局３０や設置型基地局４０を介して、端末装置１０ａ，１０ｂに提供される。
【００５０】
可搬型基地局３０は、移動可能な基地局である。図１では、可搬型基地局３０は、バス２に設置されている。バス２は、日常、市街地を巡回しているものや、イベント発生時等にだけイベント会場を巡回するもの等がある。可搬型基地局３０は、バス２に限らず、緊急車両等の自動車や、電車、飛行機等の移動手段に設置してもよい。又、可搬型基地局３０は、イベントが行われる時にだけ、イベント会場に運び、設置してもよい。即ち、可搬型基地局３０は、人が多く集まる場所に人が多く集まる時にだけ設置してもよい。又、可搬型基地局３０は、災害発生時にだけ、災害発生場所に運び、設置するようにしてもよい。
【００５１】
可搬型基地局３０は、電波受信装置３１と、制御部３２と、ＧＰＳ（Global  Positioning  System）装置３３と、通信部３４と、無線通信部３５とを備える。電波受信装置３１は、複数のユーザＩＤを取得するユーザデータ取得手段である。電波受信装置３１は、移動可能な可搬型基地局３０に設けられているため、移動可能である。電波受信装置３１は、電波受信装置３１が電波を受信可能な範囲内に存在する複数の電波送信装置２０ａ，２０ｂからの電波を受信する。そのため、バス２に設置されている可搬型基地局３０の電波受信装置３１は、バス２に乗車しているユーザが持つ電波送信装置２０ａだけでなく、バス２の周辺に存在するユーザが持つ電波送信装置２０ｂが送信する電波も受信する。よって、バス２に乗車しているユーザだけでなく、バスの周辺に存在するユーザにも、提供情報の提供が可能となり、情報の有効利用が図れる。
【００５２】
又、電波受信装置３１が受信する電波には、ユーザＩＤが含まれている。そのため、電波受信装置３１は、複数の電波送信装置２０ａ，２０ｂから送信される電波を受信することにより、複数のユーザＩＤを取得することができる。電波受信装置３１は、取得した複数のユーザＩＤを制御部３２に入力する。
【００５３】
尚、電波受信装置３１が、バス２に乗車しているユーザや、遊園地や公園内に存在するユーザのユーザＩＤを確実に取得するために、ユーザがバス２に乗車する際や遊園地や公園内に入場する際に、電波受信装置３１に電波送信装置２０ａを接触させて、電波受信装置３１が電波送信装置２０ａｂからの電波を確実に受信できるようにしてもよい。又、電波受信装置３１は、電波送信装置２０ａから、位置管理サーバ６０からの位置情報の削除の要求を受信するようにしてもよい。例えば、バス２に乗車しているユーザがバス２を降車する際や、遊園地や公園に存在するユーザが退園する際に、電波受信装置３１に電波送信装置２０ａを接触させて、電波受信装置３１が電波送信装置２０ａ，２０ｂからの削除の要求を受信するようにしてもよい。この場合、電波受信装置３１は、位置情報の削除の要求を制御部３２に入力する。
【００５４】
ＧＰＳ装置３３は、電波受信装置３１の位置を検出する位置検出手段である。
ＧＰＳ装置３３は、電波受信装置３１と共に、可搬型基地局３０に設けられる。
そのため、ＧＰＳ装置３３が検出した位置は、電波受信装置３１や可搬型基地局３０の位置に等しい。ＧＰＳ装置３３は、ＧＰＳ衛星３３ａを用いて、位置を検出する。ＧＰＳ装置３３は、検出した位置に関する位置情報を、制御部３２に入力する。
【００５５】
制御部３２は、電波受信装置３１が取得したユーザＩＤと、ＧＰＳ装置３３が検出した電波受信装置３１の位置情報とを対応付ける。電波受信装置３１は、可搬型基地局３０に設けられているため、制御部３２は、ユーザＩＤと、可搬型基地局３０の位置情報とを対応付けることになる。制御部３２は、対応付けたユーザＩＤと位置情報を、通信部３４に入力する。又、制御部３２は、電波送信装置２０ａ，２０ｂから、位置管理サーバ６０からの位置情報の削除の要求を受信した場合には、削除の要求を通信部３４に入力する。
【００５６】
通信部３４は、情報配信サーバ７０と通信を行う。通信部３４は、制御部３２から入力されるユーザＩＤと電波受信装置３１、即ち、可搬型基地局３０の位置情報を、ネットワーク５０を介して情報配信サーバ７０に送信する。このようにして、制御部３２と通信部３４は、電波受信装置３１が取得した複数のユーザＩＤとＧＰＳ装置３３が検出した電波受信装置３１、即ち、可搬型基地局３０の位置情報とを対応付けて通知する通知手段として機能する。制御部３２と通信部３４は、ユーザＩＤと位置情報を定期的に通知してもよく、電波受信装置３１がユーザＩＤを取得したときに通知するようにしてもよい。又、通信部３４は、電波送信装置２０ａ，２０ｂから、位置管理サーバ６０からの位置情報の削除の要求を受信した場合には、削除の要求を、ネットワーク５０を介して情報配信サーバ７０に送信する。
【００５７】
又、通信部３４は、情報配信サーバ７０から、ネットワーク５０を介して、端末装置１０ａに宛てた提供情報を受信する。通信部３４は、受信した提供情報を無線通信部３５に入力する。無線通信部３５は、提供情報を端末装置１０ａに無線により送信する無線通信手段である。無線通信部３５としては、例えば、ＩｒＤＡ等の赤外線を用いた無線通信手段や、ブルートゥース（登録商標）等の電波を用いた無線通信手段を用いることができる。
【００５８】
電波送信装置２０ａ，２０ｂは、ユーザＩＤを含む電波を可搬型基地局３０に送信する。電波送信装置２０ａ，２０ｂは、ユーザＩＤ記憶部２１と、電波送信部２２とを備える。ユーザＩＤ記憶部２１は、ユーザＩＤを記憶する。電波送信部２２は、ユーザＩＤ記憶部２１からユーザＩＤを取得し、可搬型基地局３０にユーザＩＤを含む電波を送信する。電波送信装置２０ａ，２０ｂとしては、ＲＦ（Radio  Frequency）タグ等を用いることができる。又、電波送信装置２０ａ，２０ｂは、位置管理サーバ６０からの位置情報の削除の要求を含む電波を、可搬型基地局３０に送信してもよい。
【００５９】
尚、端末装置１０ａ，１０ｂと電波送信装置２０ａ，２０ｂとは、必ずしも近くに存在しなくてもよい。例えば、端末装置１０ａのユーザが、自らが持つ電波送信装置２０ａの位置に応じた提供情報を、端末装置１０ａで受信したい場合には、端末装置１０ａと電波送信装置２０ａとは近くに存在する必要がある。しかし、例えば、老人や子供の位置に関する位置情報を端末装置１０ａで受信したい場合、電波送信装置２０ｂは、端末装置１０ａのユーザが持つのではなく、子供や老人が持つ必要がある。
【００６０】
端末装置１０ａ，１０ｂは、ユーザが提供情報を受信する端末装置である。端末装置１０ａは、入力部１１と、制御部１２と、出力部１３と、通信部１４と、無線通信部１５とを備える。通信部１４は、設置型基地局４０を介して、情報配信サーバ７０と通信を行う。通信部１４は、受信した情報を制御部１２に入力する。又、通信部１４は、制御部１２から入力される情報を送信する。通信部１４は、例えば、端末装置１０ａのユーザが、ユーザ情報を情報配信サーバ７０に登録する際に、設置型基地局４０を介して情報配信サーバ７０からの登録画面を受信したり、情報配信サーバ７０にユーザ情報を送信したりする。又、通信部１４は、情報配信サーバ７０が送信する提供情報を、設置型基地局４０を介して受信する。
【００６１】
入力部１１は、ユーザ情報を情報配信サーバ７０に登録する際等に、ユーザＩＤやメールアドレスの入力、提供情報の種類の選択等、ユーザ操作による入力内容を制御部１２に入力する。出力部１３は、提供情報や登録画面を出力する。制御部１２は、入力部１１から入力された情報を、出力部１３に出力したり、通信部１４に入力したりする。又、制御部１２は、通信部１４が受信した提供情報や、登録画面等を出力部１３に出力する。無線通信部１５は、可搬型基地局３０から無線により送信される提供情報を受信する。無線通信部１５としては、例えば、ＩｒＤＡ等の赤外線を用いた無線通信手段や、ブルートゥース（登録商標）等の電波を用いた無線通信手段を用いることができる。
【００６２】
（情報提供方法）
次に、情報提供システム１を用いた情報提供方法について説明する。図２に示すように、まず、端末装置１０ａ，１０ｂのユーザが、ユーザＩＤ、メールアドレス、希望する提供情報の種類を、情報配信サーバ７０に登録する（Ｓ１０１）。次に、可搬型基地局３０が、複数の電波送信装置２０ａ，２０ｂから送信されるユーザＩＤを含む電波を受信し、複数のユーザＩＤを取得する（Ｓ１０２）。
可搬型基地局３０は、可搬型基地局３０の位置を検出する（Ｓ１０３）。可搬型基地局３０は、取得した複数のユーザＩＤと、検出した可搬型基地局３０の位置情報とを対応付けて、情報配信サーバ７０に通知する（Ｓ１０４）。
【００６３】
情報配信サーバ７０は、通知された複数のユーザＩＤと位置情報を位置管理サーバ６０に送信する。位置管理サーバ６０は、ユーザＩＤ、位置情報、登録時間を位置情報データベース６５に登録する。そして、情報配信サーバ７０は、位置情報データベース６５から位置情報を取得し、ユーザ情報データベース７３から情報種類を取得し、それらに基づいて提供情報データベース８２から提供情報を取得する（Ｓ１０５）。そして、情報配信サーバ７０は、取得した提供情報を、ユーザ情報データベース７３から取得した端末装置１０ａ，１０ｂのメールアドレス送信する（Ｓ１０６）。
【００６４】
（効果）
このような情報提供システム１、可搬型基地局３０、位置管理サーバ６０、情報配信サーバ７０、情報登録サーバ８０、情報配信方法によれば、移動可能な可搬型基地局３０に設けられた電波受信装置３１が、複数のユーザＩＤを取得する。又、ＧＰＳ装置３３が、電波受信装置３１、即ち、可搬型基地局３０の位置を検出する。そして、制御部３２と通信部３４が、電波受信装置３１が取得した複数のユーザＩＤと、電波受信装置３１、即ち、可搬型基地局３０の位置情報とを対応付けて、情報配信サーバ７０に通知する。通知を受けた情報配信サーバ７０の取得部７２は、提供情報データベース８２からユーザＩＤと位置情報に基づいて提供情報を取得する。そして、通信部７１が、取得部７２が取得した提供情報を端末装置１０ａ，１０ｂに送信する。
【００６５】
このように、電波受信装置３１を備える可搬型基地局３０は移動可能であり、ＧＰＳ装置３３が移動する電波受信装置３１、即ち、可搬型基地局３０の位置を検出できる。そして、取得部７２が、端末装置１０ａ，１０ｂのユーザが希望する位置情報に応じた提供情報を取得する。そのため、情報提供システム１は、ユーザが希望する位置情報に応じた情報を任意の場所で提供できる。よって、情報提供システム１は、イベント会場や災害発生場所のように、人が多く集まる場所に人が多く集まる時にだけ、ユーザが望む情報を提供することができる。そのため、無線局等を固定的に設置する場合に比べて、無駄な設備投資を抑えることができる。
【００６６】
又、可搬型基地局３０の制御部３２と通信部３４が、複数のユーザＩＤと、そのユーザＩＤを取得した電波受信装置３１の位置情報とを対応付けて一括して、情報配信サーバ７０に通知できる。そのため、可搬型基地局３０の制御部３２と通信部３４は、各ユーザについて、個々にユーザＩＤと位置情報を通知する必要がなく、トラヒックを抑えることができ、処理も簡略化できる。
【００６７】
更に、電波受信装置３１、ＧＰＳ装置３３、制御部３２、通信部３４を含む可搬型基地局３０は、バス２等の移動手段に設置される。そのため、情報提供システム１が情報を提供する範囲を、バス２等の移動手段の移動に伴って逐次変更することができる。
【００６８】
又、位置管理サーバ６０は、位置情報として位置に関する範囲を記憶し、提供情報データベース８２は、位置に関する範囲に対応付けて提供情報を記憶し、取得部７２は、位置情報として位置に関する範囲に基づいて、提供情報を取得する。そのため、位置管理サーバ６０、情報配信サーバ７０，情報登録サーバ８０は、範囲の単位で提供情報の提供を管理できる。
【００６９】
尚、本発明は、上記実施の形態に限定されるものではなく、種々の変更が可能である。例えば、電波送信装置２０ａ，２０ｂは、ユーザが持つのではなく、荷物等に取り付けてもよい。これによれば、ユーザは、荷物の現在位置等、荷物に関する情報を取得できる。
【００７０】
【発明の効果】
以上説明したように、本発明によれば、ユーザが希望する位置情報に応じた情報を任意の場所で提供でき、かつ、トラヒックを抑えることが可能な情報提供システム、基地局、サーバ及び情報提供方法を提供することができる。
【図面の簡単な説明】
【図１】本発明の実施の形態に係る情報提供システムの構成を示すブロック図である。
【図２】本発明の実施の形態に係る情報提供方法の手順を示すフロー図である。
【符号の説明】
１  情報提供システム
２  バス
１０ａ，１０ｂ  端末装置
１１  入力部
１２  制御部
１３  出力部
１４  通信部
１５  無線通信部
２０ａ，２０ｂ  電波送信装置
２１  ユーザＩＤ記憶部
２２  電波送信部
３０  可搬型基地局
３１  電波受信装置
３２  制御部
３３  ＧＰＳ装置
３３ａ  ＧＰＳ衛星
３４  通信部
３５  無線通信部
４０  設置型基地局
５０  ネットワーク
６０  位置管理サーバ
６１  制御部
６２，７５，７６，８１  インタフェース
６３  範囲情報記憶部
６４  時計部
６５  位置情報データベース
７０  情報配信サーバ
７１  通信部
７２  取得部
７３  ユーザ情報データベース
７４  登録部
７７  経路情報記憶部
８０  情報登録サーバ
８２  提供情報データベース
８３  登録部
【図１】
2004192354.tif 000003
【図２】
2004192354.tif 000004